(57)【要約】【課題】所定のパスワードによってアクセスが制限された無線タグ以外の使用を阻止する。【解決手段】無線タグに対するアクセスパスワードを記憶部で記憶する。無線部の無線通信により、応答があった無線タグのアクセスパスワード領域に記憶されているデータを読み取る。読み取ったデータを記憶部で記憶するアクセスパスワードと照合する。読み取ったデータがアクセスパスワードと一致していないとエラーを報知する。【選択図】      図６
2010140429.tif 000002
【特許請求の範囲】
【請求項１】
メモリのデータ領域へのアクセスを同メモリのアクセスパスワード領域に設定されるアクセスパスワードによって制限する無線タグと無線通信を行う無線部と、
前記無線タグに対するアクセスパスワードを記憶する記憶部と、
前記無線部の無線通信により、応答があった無線タグのアクセスパスワード領域に記憶されているデータを読み取る読取手段と、
この読取手段により読み取ったデータを前記記憶部で記憶するアクセスパスワードと照合する照合手段と、
この照合手段により前記データが前記アクセスパスワードと一致していないとエラーを報知する報知手段と、
を具備したことを特徴とする無線通信装置。
【請求項２】
前記照合手段により前記データが前記アクセスパスワードと一致することを条件に、前記無線部を介して前記応答があった無線タグのデータ領域への書込みを実行する書込手段、
をさらに具備したことを特徴とする請求項１記載の無線通信装置。
【請求項３】
前記読取手段は、前記記憶部で記憶するアクセスパスワードを使用して前記無線タグのデータ領域へのアクセス制限を解除した上で同無線タグのアクセスパスワード領域に記憶されているデータを読み取ることを特徴とする請求項１記載の無線通信装置。
【請求項４】
前記記憶部にアクセスパスワードを設定する設定手段と、
この設定手段の起動を認証する認証手段と、
をさらに具備したことを特徴とする請求項１乃至３のうちいずれか１記載の無線通信装置。
【請求項５】
前記無線タグは、一方の面を印字面とし、他方の面を接着面とするラベルシートに貼り付けられるインレット状をなしており、
前記照合手段により前記データが前記アクセスパスワードと一致することを条件に、前記印字面にデータを印字する印字手段、
をさらに具備したことを特徴とする請求項１乃至４のうちいずれか１記載の無線通信装置。
【発明の詳細な説明】
【技術分野】
【０００１】
本発明は、ＲＦＩＤラベルを発行するラベル発行装置等に適用される無線通信装置に関する。
【背景技術】
【０００２】
近年、メモリを有する電子回路部品であるＩＣチップとアンテナとをフィルム状の基材に内蔵してなる無線タグ、いわゆるＲＦＩＤインレットをラベルシールに取り付けたＲＦＩＤラベルが注目されている。
【０００３】
特許文献１は、ＲＦＩＤラベルを順次搬送しながら、そのラベルに付与されたＲＦＩＤインレットのメモリに情報を書き込むとともに、そのラベルの表面に情報を印刷するようにしたＲＦＩＤラベル発行装置を開示する。
【０００４】
また近年、メモリのデータ領域へのアクセスを同メモリのアクセスパスワード領域に設定されるアクセスパスワードによって制限する無線タグが知られている。
【０００５】
特許文献２は、この種の無線タグを用いた無線タグシステムを開示する。すなわち、無線タグシステムは、無線タグとリーダ・ライタ装置とを有する。リーダ・ライタ装置は、電子鍵を記憶する。無線タグは、タグ固有のキーワードと、そのキーワードと電子鍵とから算出されるパスワードとを記憶する。リーダ・ライタ装置は、無線タグからキーワードを読み出す。そして、読み出したキーワードと自身が記憶している電子鍵とからパスワードを生成して、このパスワードをコマンドとともに無線タグに送信する。無線タグは、リーダ・ライタ装置からコマンド及びパスワードを受信すると、自身が記憶しているパスワードと比較する。そして、両者が一致する場合に、コマンドに対応する処理を行う。
【特許文献１】特開２００６−０７９５１４号公報
【特許文献２】特開２００７−２９３４４３号公報
【発明の開示】
【発明が解決しようとする課題】
【０００６】
従来、特許文献１のようなＲＦＩＤラベル発行装置においては、使用するＲＦＩＤラベルに制限がなく、同一規格のＲＦＩＤラベルであれば使用可能である。このため、例えば正規の流通ルートから外れて不正に取引されるＲＦＩＤラベルの使用を制限するのが困難である。
【０００７】
そこで、ＲＦＩＤラベルに組み込まれる無線タグの規格を、特許文献２に記載されているようなパスワード付の無線タグとすることが考えられる。しかし、特許文献２記載の無線タグシステムの場合、パスワードを記憶しておらず、アクセスが制限されていない無線タグに対して、リーダ・ライタ装置は、無制限でデータの書込みや読取りを行うことができる。このため、パスワード付の無線タグを使用するようにしても、それだけでは不正なＲＦＩＤラベルの使用を制限することは困難である。
【０００８】
本発明はこのような事情に基づいてなされたもので、その目的とするところは、所定のパスワードによってアクセスが制限された無線タグ以外の使用を阻止できる無線通信装置を提供しようとするものである。
【課題を解決するための手段】
【０００９】
本発明の無線通信装置は、メモリのデータ領域へのアクセスを同メモリのアクセスパスワード領域に設定されるアクセスパスワードによって制限する無線タグと無線通信を行う無線部と、無線タグに対するアクセスパスワードを記憶する記憶部と、無線部の無線通信により、応答があった無線タグのアクセスパスワード領域に記憶されているデータを読み取る読取手段と、この読取手段により読み取ったデータを記憶部で記憶するアクセスパスワードと照合する照合手段と、この照合手段によりデータがアクセスパスワードと一致していないとエラーを報知する報知手段とを備えたものである。
【発明の効果】
【００１０】
かかる手段を講じた本発明によれば、所定のパスワードによってアクセスが制限された無線タグ以外の使用を阻止できる無線通信装置を提供できる。
【発明を実施するための最良の形態】
【００１１】
以下、本発明を実施するための最良の形態について、図面を用いて説明する。  
なお、この実施の形態は、ＲＦＩＤラベルを順次搬送しながら、そのラベルに付与されたＲＦＩＤインレットのメモリに情報を書き込むとともに、そのラベルの表面に情報を印刷するようにしたＲＦＩＤラベル発行装置に、本発明の無線通信装置としての機能を適用した場合である。
【００１２】
はじめに、本実施の形態で使用されるラベル用紙１について、図１乃至図３を用いて説明する。
【００１３】
図１に示すように、ラベル用紙１は、長尺状の台紙２の表面に、その長手方向に一列に整列させて、多数枚のＲＦＩＤラベル３を剥離自在に貼り付けている。ＲＦＩＤラベル３は、図１のＡ−Ａ矢視断面を拡大する図２に示すように、ラベルシート４の裏面側（台紙２との接着面側）に、ＲＦＩＤインレット７を取り付けている。ＲＦＩＤインレット７は、図１に示すように、フィルム状の基材にＩＣチップ５とアンテナ６とを内蔵しており、無線タグの一種である。ＲＦＩＤラベル３は、ラベルシート４の表面を情報の印刷面としている。なお、図２において、符号８，９はいずれも接着剤を示している。
【００１４】
ＲＦＩＤインレット７のＩＣチップ５は、電源生成部，復調部，変調部，メモリ部１０（図３を参照）及びこれらを制御する制御部を構成する電子回路部品である。電源生成部は、アンテナ６で受信した変調電波の整流と安定化を行なうことにより各部に電源を供給する。復調部は、アンテナ６で受信した変調電波を復調して制御部へ送出する。変調部は、制御部から送出されたデータを変調してアンテナ６から発信させる。制御部は、復調部で復調されたデータのメモリ部１０への書込みや、メモリ部１０からデータを読み出して変調部へ送出する。
【００１５】
メモリ部１０は、図３に示すように、ＩＤデータ領域１１とアクセスパスワード領域１２とを有する。ＩＤデータ領域１１は、当該ＲＦＩＤインレット７を個体識別するためのＩＤデータを記憶する。アクセスパスワード領域１２は、メモリ部１０へのアクセスを制限するためのパスワードを記憶する。
【００１６】
この種のＲＦＩＤインレット７は、メモリ部１０のＩＤデータ領域１１及びアクセスパスワード領域１２に対してそれぞれ別々に、パスワードによるリードロックまたはライトロックを設定することができる。例えば、ＩＤデータ領域１１に対してライトロックが設定されたＲＦＩＤインレット７は、無線通信装置から所定のパスワードを受信しない限り、その無線通信装置によるＩＤデータ領域１１へのデータ書込みを禁止する。これに対し、ＩＤデータ領域１１に対してライトロックが設定されていないＲＦＩＤインレット７は、無線通信装置から所定のパスワードを受信したか否かに拘らず、その無線通信装置によるＩＤデータ領域１１へのデータ書込みを許容する。同様に、例えばアクセスパスワード領域１２に対してリードロックが設定されたＲＦＩＤインレット７は、無線通信装置から所定のパスワードを受信しない限り、その無線通信装置によるアクセスパスワード領域１２のデータ読取りを禁止する。これに対し、アクセスパスワード領域１２に対してリードロックが設定されていないＲＦＩＤインレット７は、無線通信装置から所定のパスワードを受信したか否かに拘らず、その無線通信装置によるアクセスパスワード領域１２のデータ読取りを許容する。
【００１７】
次に、前記ラベル用紙１を使用するＲＦＩＤラベル発行装置２０について、図４〜図７を用いて説明する。
【００１８】
図４は、ＲＦＩＤラベル発行装置２０の要部構成を示すブロック図である。このＲＦＩＤラベル発行装置２０は、ラベルホルダ（不図示）を有している。ラベルホルダは、ロール状に巻回されたラベル用紙１を保持する。ＲＦＩＤラベル発行装置２０は、搬送手段（不図示）を有している。搬送手段は、ラベルホルダから繰り出したラベル用紙１を、所定の搬送路に沿って剥離ローラ２１に導く。剥離ローラ２１に導かれたラベル用紙１は、台紙２のみが剥離ローラ２１を巻回する。その結果、ラベル用紙１からＲＦＩＤラベル３が剥離する。剥離ローラ２１で剥離されたＲＦＩＤラベル３は、ラベル発行口（不図示）から排出される。剥離ローラ２１を巻回した台紙２は、巻取ローラ（不図示）によって巻き取られる。
【００１９】
ＲＦＩＤラベル発行装置２０は、ラベルホルダから剥離ローラ２１までの搬送路上に、ＲＦＩＤリーダ・ライタ２２用のアンテナ２３と、ラベルセンサ２４と、印刷ヘッド２５とを、ラベル用紙１の長手方向の一方向である搬送方向の上流側、すなわちラベルホルダ側から下流側、すなわち剥離ローラ２１側に向けて順に設けている。
【００２０】
アンテナ２３は、ＲＦＩＤリーダ・ライタ２２の制御により、ＲＦＩＤインレット７との間で電波の送受信を行う。ＲＦＩＤリーダ・ライタ２２は、アンテナ２３から放射される電波が到達し得る交信領域内に存在するＲＦＩＤインレット７と、電波を利用して無線通信を行う。ここに、ＲＦＩＤリーダ・ライタ２２とアンテナ２３とは、無線部を構成する。
【００２１】
ラベルセンサ２４は、ラベルホルダから繰り出されたラベル用紙１から、アンテナ２３の交信領域内に導かれたＲＦＩＤラベル３を検出する。ラベルセンサ２４は、例えば、図４に示す位置でＲＦＩＤラベル３の先端エッジを光学的に検知すると、ＲＦＩＤラベル３を検出したものとみなす。
【００２２】
印刷ヘッド２５は、ヘッド駆動部２６により駆動され、ＲＦＩＤラベル３の表面であるラベルシート４の印刷面に種々の情報を印刷する。印刷ヘッド２５としては、例えばサーマルヘッドが用いられる。
【００２３】
ＲＦＩＤラベル発行装置２０は、前記ＲＦＩＤリーダ・ライタ２２、アンテナ２３、ラベルセンサ２４、印刷ヘッド２５、ヘッド駆動部２６の他、操作パネル２７、通信インターフェイス２８、搬送系駆動部２９及び記憶部３０と、これらを制御する制御部３１とを備えている。操作パネル２７は、各種のキーや表示部を備える。通信インターフェイス２８は、パーソナルコンピュータ等の外部装置とのデータ通信を司る。搬送系駆動部２９は、ラベルホルダにセットされたラベル用紙１を長手方向の一方向及びその逆方向へ搬送する搬送機構と、台紙２を巻き取る巻取ローラの駆動機構とを制御する。
【００２４】
記憶部３０は、ラベル発行データを記憶する。ラベル発行データは、ＲＦＩＤ書込データと、ラベル印字データと、発行枚数データとを含む。ＲＦＩＤ書込データは、ＲＦＩＤインレット７のメモリ部１０（ＩＤデータ領域１１）に書き込むべき情報である。ラベル印字データは、ＲＦＩＤラベル３の印刷面に印刷するべき情報である。
【００２５】
また記憶部３０は、図５に示すように、パスワードの設定エリア４１と、有効／無効フラグの設定エリア４２とを有している。設定エリア４１は、ＲＦＩＤインレット７に対するアクセスパスワードを記憶する。設定エリア４２は、パスワード機能が有効のとき“１”にセットされ、無効のとき“０”にリセットされるフラグを記憶する。
【００２６】
かかる構成のラベル発行装置２０は、動作モードとして少なくともラベル発行モードとシステムモードとを有している。操作パネル２７の操作入力により、ラベル発行装置２０は、いずれかの動作モードを選択可能である。
【００２７】
ラベル発行モードが選択されているとき、外部装置から通信インターフェイス２８を介してラベル発行ジョブを受信すると、制御部３１は、このジョブに含まれているラベル発行データを記憶部３０で記憶する。しかして制御部３１は、図６の流れ図に示す手順のラベル発行処理を開始する。
【００２８】
先ず、制御部３１は、ＳＴ（ステップ）１としてパスワード機能が有効であるか否かを判別する。設定エリア４２のフラグが“０”にリセットされていると、制御部３１は、パスワード機能が無効であると認識する（ＳＴ１のＮＯ）。この場合、制御部３１は、パスワード機能未設定時の処理を実行する。この処理は、従来と同様なので、ここでの説明は省略する。
【００２９】
設定エリア４２のフラグが“１”にセットされていると、制御部３１は、パスワード機能が有効であると認識する（ＳＴ１のＹＥＳ）。この場合、制御部３１は、ＳＴ２としてアクセスパスワードが設定されているか否かを判断する。設定エリア４１が“０”にクリアされていると、制御部３１は、アクセスパスワード未設定と認識する（ＳＴ２のＮＯ）。この場合、制御部３１は、ＳＴ３として、ラベル発行不可を報知する。例えば、操作パネル２７の表示部にラベル発行不可を示すメッセージを表示させる。以上で、制御部３１は、今回のラベル発行処理を終了する。
【００３０】
設定エリア４１にデータが記憶されていると、制御部３１は、このデータをアクセスパスワードと認識する（ＳＴ２のＹＥＳ）。この場合、制御部３１は、ＳＴ４としてラベル用紙１の搬送を開始させるために搬送系駆動部２９を制御する。そして、ＳＴ５としてラベルセンサ２４によりＲＦＩＤラベル３が検出されるのを待機する。
【００３１】
搬送系駆動部２９の制御により、ラベルホルダから繰り出されたラベル用紙１は、搬送路の上流側から下流側に向けて搬送される。そして、ラベルセンサ２４の検知位置にＲＦＩＤラベル３の先端が到達してラベルセンサ２４がオンすると、制御部３１は、ＲＦＩＤラベル３を検出したと認識する（ＳＴ５のＹＥＳ）。この場合、制御部３１は、ＳＴ６としてアクセスパスワード領域１２の読取コマンドを生成する。そして、このコマンドとともに、パスワード設定エリア４１に設定されているアクセスパスワードの無線送信を、ＲＦＩＤリーダ・ライタ２２に指令する（読取手段）。
【００３２】
この指令を受信したＲＦＩＤリーダ・ライタ２２は、アクセスパスワード付のアクセスパスワード領域読取コマンドをアンテナ２３から電波として無線送信する。この電波は、ラベルセンサ２４によって検出されたＲＦＩＤラベル３のＲＦＩＤインレット７で受信可能である。この電波を受信したＲＦＩＤインレット７は、アクセスパスワード領域１２に対してリードロックが設定されている場合と、設定されていない場合とで処理が異なる。設定されていない場合には、ＲＦＩＤインレット７は、アクセスパスワード領域１２のデータを読み出す。そして、このデータを電波として無線送信する。
【００３３】
これに対し、リードロックが設定されている場合には、ＲＦＩＤインレット７は、受信コマンドに付加されたアクセスパスワードが、アクセスパスワード領域１２内のデータと一致するか比較する。そして、一致した場合のみ、アクセスパスワード領域１２のデータを読み出し、このデータを電波として無線送信する。一致しない場合には、コマンドに応答しない。
【００３４】
ＲＦＩＤインレット７から無線送信される電波は、アンテナ２３で受信される。ＲＦＩＤリーダ・ライタ２２は、アンテナ２３で受信した電波を解析して、ＲＦＩＤインレット７からの送信データを読み取る。ＲＦＩＤリーダ・ライタ２２は、ＲＦＩＤインレット７から読み取ったデータを制御部３１に供給する。
【００３５】
アクセスパスワード領域読取コマンドの無線送信をＲＦＩＤリーダ・ライタ２２に指令した制御部３１は、ＳＴ７としてアクセスパスワード領域１２の読取りが成功したか否かを判断する。無線送信指令後、所定時間内にＲＦＩＤリーダ・ライタ２２からデータを受取ると、読取りが成功したものと認識する（ＳＴ７のＹＥＳ）。この場合、制御部３１は、ＳＴ８として読み取ったデータがパスワード未設定を示す“０”であるか否かを識別する。
【００３６】
読み取ったデータが“０”でない場合には（ＳＴ８のＮＯ）、通信相手であるＲＦＩＤインレット７のアクセスパスワード領域１２にアクセスパスワードが設定されている。この場合、制御部３１は、ＳＴ９としてＲＦＩＤインレット７から読み取ったデータ、すなわち当該ＲＦＩＤインレット７のアクセスパスワード領域１２に設定されているアクセスパスワードと、自己のパスワード設定エリア４１に設定されているアクセスパスワードとを照合する（照合手段）。そして、ＳＴ１０として両アクセスパスワードが一致するか否かを判断する。
【００３７】
両アクセスパスワードが一致する場合（ＳＴ１０のＹＥＳ）、制御部３１は、今回のラベル発行ジョブにより指定された枚数分のＲＦＩＤラベル３の発行を制御する。先ず制御部３１は、ＳＴ１１として発行枚数カウンタｎを“０”にリセットする。次に、制御部３１は、ＳＴ１２として発行枚数カウンタｎを“１”だけカウントアップする。そして、制御部３１は、ＳＴ１３として発行枚数カウンタｎがラベル発行ジョブの発行枚数Ｎを超えたか否を判断する。越えていない場合（ＳＴ１３のＹＥＳ）には、制御部３１は、ＳＴ１４としてラベル発行ジョブのＲＦＩＤ書込データを記憶部３０から読み出す。そして、このＲＦＩＤ書込データをＩＤデータ領域１１へ書き込むことを指令するＩＤデータ領域書込コマンドを生成する。そして、このコマンドとともに、パスワード設定エリア４１に設定されているアクセスパスワードの無線送信を、ＲＦＩＤリーダ・ライタ２２に指令する（書込手段）。
【００３８】
この指令を受信したＲＦＩＤリーダ・ライタ２２は、アクセスパスワード付のＩＤデータ領域書込コマンドをアンテナ２３から電波として無線送信する。この電波を受信したＲＦＩＤインレット７は、ＩＤデータ領域１１に対してライトロックが設定されている場合と、設定されていない場合とで処理が異なる。設定されていない場合には、ＲＦＩＤインレット７は、受信コマンドに含まれるＲＦＩＤ書込データをＩＤデータ領域１１に書き込む。
【００３９】
これに対し、ライトロックが設定されている場合には、ＲＦＩＤインレット７は、受信コマンドに付加されたアクセスパスワードが、アクセスパスワード領域１２内のデータと一致するか比較する。そして、一致した場合のみ、受信コマンドに含まれるＲＦＩＤ書込データをＩＤデータ領域１１に書き込む。一致しない場合には、ＲＦＩＤ書込データの書込みを行わない。
【００４０】
ＩＤデータ領域書込コマンドの無線送信をＲＦＩＤリーダ・ライタ２２に指令した制御部３１は、ＳＴ１５として同ラベル発行ジョブのラベル印字データを記憶部３０から読み出す。そして、ＲＦＩＤリーダ・ライタ２２によってＩＤデータ領域１１にデータが書き込まれたＲＦＩＤインレット７を有するＲＦＩＤラベル３が印刷ヘッド２５による印字位置に搬送されるタイミングで、制御部３１は、ヘッド駆動部２６の駆動を制御する（印字手段）。この制御により、印刷ヘッド２５によってＲＦＩＤラベル３の表面にラベル印字データが印字される。
【００４１】
こうして、ＲＦＩＤ書込データがＲＦＩＤインレット７のＩＤデータ領域１１に書き込まれるとともに、ラベル印字データがラベルシート４の印刷面に印字されたＲＦＩＤラベル３は、剥離ローラ２１で台紙２から剥離されて発行される。
【００４２】
制御部３１は、発行枚数カウンタｎを“１”ずつカウントアップする毎に、ＳＴ１４のＲＦＩＤ書込データ書込処理、及びＳＴ１５のラベル印字データ印字処理を実行する。そして、発行枚数カウンタｎがラベル発行枚数Ｎを超えたならば（ＳＴ１３のＮＯ）、制御部３１は、ＳＴ１６としてラベル用紙１の搬送を停止させる。以上で、今回のラベル発行処理を終了する。
【００４３】
なお、アクセスパスワード領域読取コマンドの無線送信をＲＦＩＤリーダ・ライタ２２に指令したが、所定時間内にＲＦＩＤリーダ・ライタ２２からデータを受取れなかった場合には、読取りが失敗したものと認識する（ＳＴ７のＮＯ）。この場合には、制御部３１は、ＳＴ１７の処理に進む。
【００４４】
また、アクセスパスワード領域１２の読取りには成功したが（ＳＴ７のＹＥＳ）、読み取ったデータが“０”であった場合には、ＲＦＩＤインレット７はアクセスパスワードが未設定であると認識する（ＳＴ８のＹＥＳ）。この場合も、制御部３１は、ＳＴ１７の処理に進む。
【００４５】
さらに、アクセスパスワード領域１２から読み取ったデータが“０”ではないが（ＳＴ８のＮＯ）、パスワード設定エリア４１に設定されているアクセスパスワードと一致しない場合も（ＳＴ１０のＮＯ）、制御部３１は、ＳＴ１７の処理に進む。
【００４６】
ＳＴ１７では、制御部３１は、ラベル用紙のエラーを報知する（報知手段）。例えば、操作パネル２７の表示部に、ラベル用紙のエラーを示すメッセージを表示させる。しかる後、制御部３１は、ＳＴ１６としてラベル用紙１の搬送を停止させて、今回のラベル発行処理を終了する。
【００４７】
このように、本実施の形態のＲＦＩＤラベル発行装置２０は、パスワード機能が有効のとき、予めパスワード設定エリア４１に設定されたアクセスパスワードがアクセスパスワード領域１２に記憶されているＲＦＩＤインレット７を備えたＲＦＩＤラベル３に対してのみ、ＲＦＩＤ書込データの書込みとラベル印字データの印字とを実行する。それ以外のＲＦＩＤラベル３が使用された場合は、ラベル用紙エラーを報知する。
【００４８】
したがって、ＲＦＩＤラベル発行装置２０では、予めパスワード設定エリア４１に設定されたアクセスパスワードがアクセスパスワード領域１２に記憶されているＲＦＩＤインレット７を備えたラベル用紙１のみ使用することができる。たとえ、アクセスパスワード領域１２にアクセスパスワードが設定されておらず、ＩＤデータ領域１１に対するデータの書込みがロックされていない同一規格のラベル用紙であっても、使用することはできない。
【００４９】
通常、正規の流通ルートから外れて不正に取引されるＲＦＩＤラベルの製造業者は、アクセスパスワードを知ることはできない。したがって、この種の不正なＲＦＩＤラベルの使用を確実に阻止することができる。
【００５０】
ところで、ＲＦＩＤラベル発行装置２０は、有効なラベル用紙１のアクセスパスワードが変更される毎に、パスワード設定エリア４１で記憶するアクセスパスワードを設定し直す必要がある。このアクセスパスワードの変更は、ＲＦＩＤラベル発行装置２０の動作モードをシステムモードに設定することで可能となる。
【００５１】
システムモードが選択されると、制御部３１は、図７の流れ図に示す手順の処理を開始する。先ず、制御部３１は、ＳＴ２１としてアクセスパスワードの設定変更が指令されたか否かを判断する。アクセスパスワード以外のシステム変更が指令された場合には（ＳＴ２１のＮＯ）、制御部３１は、指令された処理を実行する。アクセスパスワードの設定変更が指令された場合には（ＳＴ２１のＹＥＳ）、制御部３１は、ＳＴ２２として予め固定的に設定されたアクセスパスワード設定用パスワードの入力を待機する。このパスワードは、特定のオペレータ、例えばメーカの保守点検員のみが知り得るセキュリティ性の高いものである。
【００５２】
ＳＴ２３として、例えば操作パネル２７の操作入力によりパスワードが入力されると、制御部３１は、ＳＴ２４として入力パスワードがアクセスパスワード設定用パスワードと一致するか照合する（認証手段）。一致しないと、制御部３１は、入力パスワードは不当であると認識する（ＳＴ２４のＮＯ）、この場合、制御部３１は、今回の処理を終了する。
【００５３】
入力パスワードがアクセスパスワード設定用パスワードと一致すると、制御部３１は、入力パスワードは正当であると認識する（ＳＴ２４のＹＥＳ）。この場合、制御部３１は、ＳＴ２５としてアクセスパスワード機能を有効とするか無効とするかの設定入力を待機する。
【００５４】
例えば操作パネル２７の操作入力により有効とする旨の入力があると（ＳＴ２６のＹＥＳ）、制御部３１は、ＳＴ２７としてアクセスパスワードの入力を待機する。そして、ＳＴ２８として例えば操作パネル２７の操作入力によりアクセスパスワードが入力されたならば、制御部３１は、ＳＴ２９として入力されたアクセスパスワードをパスワード設定エリア４１に上書きする（設定手段）。また、設定エリア４２のフラグを、有効を示す“１”にセットして、今回の処理を終了する。
【００５５】
一方、例えば操作パネル２７の操作入力により無効とする旨の入力があった場合には（ＳＴ２６のＮＯ）、制御部３１は、ＳＴ３１として設定エリア４２のフラグを、無効を示す“０”にリセットして、今回の処理を終了する。
【００５６】
このように本実施の形態においては、パスワード設定エリア４１で記憶するアクセスパスワードを適宜変更することができる。ただし、アクセスパスワードを変更できるのは、アクセスパスワード設定用パスワードを知り得る人物に限られる。
【００５７】
ＲＦＩＤラベル発行装置２０のユーザがパスワード設定エリア４１で記憶するアクセスパスワードを無制限で変更できてしまっては、正規の流通ルートから外れて不正に取引されるＲＦＩＤラベルの使用を制限できなくなる。本実施の形態では、アクセスパスワード設定用パスワードを知り得る人物のみアクセスパスワードを変更できるので、不正なＲＦＩＤラベルの使用を確実に阻止することができる。
【００５８】
なお、この発明は前記実施形態そのままに限定されるものではなく、実施段階ではその要旨を逸脱しない範囲で構成要素を変形して具体化できる。
【００５９】
例えば前記実施の形態では、複数枚のＲＦＩＤラベル３を発行する際に、１枚目のＲＦＩＤラベル３に組み込まれたＲＦＩＤインレット７が、該当するアクセスパスワードによってアクセスが制限されたものか否かを判別し、アクセスが制限されている場合に限り、指定枚数のラベル発行を連続して制御するようにしたが、ＲＦＩＤラベル１枚毎に、そのＲＦＩＤラベルに組み込まれたＲＦＩＤインレット７が、該当するアクセスパスワードによってアクセスが制限されたものか否かを判別してもよい。
【００６０】
また、前記実施の形態では、アクセスパスワードが一致しないときにエラーを報知する報知手段をエラーメッセージの表示手段としたが、報知手段はこれに限定されるものではない。例えば、ブザー音を鳴動させて、エラーであることを知らせるようにしてもよい。
【００６１】
また、前記実施の形態では、ＲＦＩＤラベル３を発行するＲＦＩＤラベル発行装置２０に本発明を適用したが、本発明は、ＲＦＩＤラベル発行装置２０に限定されるものではない。アクセスパスワード機能を有した無線タグに対し、無線通信を利用してデータの書込みや読取りを行う無線通信装置全般に適用できるものである。
【００６２】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００６３】
【図１】本発明の一実施の形態で使用されるＲＦＩＤ用紙の概略構成を示す模式図。
【図２】図１におけるＡ−Ａ矢視断面を拡大して示す断面図。
【図３】同実施の形態においてＲＦＩＤラベルのＲＦＩＤインレットに設けられたメモリ部のデータ構造を示す模式図。
【図４】同実施の形態におけるＲＦＩＤラベル発行装置の要部構成を示すブロック図。
【図５】同ＲＦＩＤラベル発行装置の記憶部に記憶される主要なメモリエリアを示す模式図。
【図６】同ＲＦＩＤラベル発行装置の制御部が実行するラベル発行処理の要部処理手順を示す流れ図。
【図７】同ＲＦＩＤラベル発行装置の制御部が実行するアクセスパスワード設定変更処理の要部処理手順を示す流れ図。
【符号の説明】
【００６４】
１…ラベル用紙、３…ＲＦＩＤラベル、７…ＲＦＩＤインレット、２２…ＲＦＩＤリーダ・ライタ、２３…アンテナ、２４…ラベルセンサ、２５…印刷ヘッド、２６…ヘッド駆動部、２７…操作パネル、２８…通信インターフェイス、２９…搬送系駆動部、３０…記憶部、３１…制御部。
【図１】
2010140429.tif 000003
【図２】
2010140429.tif 000004
【図３】
2010140429.tif 000005
【図４】
2010140429.tif 000006
【図５】
2010140429.tif 000007
【図６】
2010140429.tif 000008
【図７】
2010140429.tif 000009